(57)【要約】【課題】  簡単な構造で、美容液をパック用ゲルシートに十分に接触させた状態で収容され、美容効果が高く、開封操作にも支障がないパック用ゲルシート包装体を提供する。【解決手段】  合成樹脂で一体成形され皿状の凹部から成るトレイ１２と、トレイ１２の底部に形成された窪みでありパック用ゲルシート３０が収容された収容凹部２０と、収容凹部２０の底部に形成された窪みであり美容液３２が収容された液溜凹部２８を備える。パック用ゲルシート３０を収容凹部２０内に収容し、パック用ゲルシート３０及びトレイを包装して成る。収容凹部２０にパック用ゲルシート３０を収容した状態で、液溜凹部２８がパック用ゲルシート３０で塞がれる。【選択図】図１
2006056543.tif 000002
【特許請求の範囲】
【請求項１】
合成樹脂で一体成形され皿状の凹部から成るトレイと、上記トレイの底部に形成された窪みでありパック用ゲルシートが収容された収容凹部と、上記収容凹部の底部に形成された窪みであり美容液が収容された液溜凹部が設けられ、上記パック用ゲルシートを上記収容凹部内に収容し、上記パック用ゲルシート及びトレイを包装して成ることを特徴とするパック用ゲルシート包装体。
【請求項２】
上記パック用ゲルシートはゆるやかに湾曲した雨滴形であり、上記収容凹部は上記パック用ゲルシートの形状よりわずかに大きい雨滴形であり、上記液溜凹部は上記収容凹部のほぼ中心で湾曲方向に沿って湾曲する細長い溝状に設けられ、上記収容凹部に上記パック用ゲルシートを収容した状態で、上記液溜凹部が上記パック用ゲルシートで塞がれることを特徴とする請求項１記載のパック用ゲルシート包装体。
【請求項３】
上記パック用ゲルシートまたは上記美容液には、ユビデカレノン（ＣｏＱ１０）と、血行促進作用を有するヘスピリジンあるいはルチンが含有されていることを特徴とする請求項１記載のパック用ゲルシート包装体。
【請求項４】
上記ユビデカレノン（ＣｏＱ１０）は、上記パック用ゲルシートの０.００１〜１０重量％含まれていることを特徴とする請求項３記載のパック用ゲルシート包装体。
【発明の詳細な説明】
【技術分野】
【０００１】
この発明は、シート状に形成された美容用等のパック用ゲルシートを包装したパック用ゲルシート包装体に関する。
【背景技術】
【０００２】
従来、美容用のパック剤として、保形性を有してシート状に形成されたパック用ゲルシートがある。このようなパック用ゲルシートのゲルは、ポリアクリル酸やポリアクリル酸塩、多価アルコール類、水、外部架橋剤を含有した基材から成る。このようなパック用ゲルシート包装体として、特許文献１に開示されている化粧用ゲルシートの収納構造が提案されている。これは、中央部に凹部が形成された成形シートと、この凹部を密閉するように剥離可能に成形シートに接着されているカバーシートが設けられたものである。そして、凹部の中にゲルを入れ、樹脂やアルミのカバーシートで密封した構造となっている。カバーシートは、凹部の全周にわたってシールされている。この化粧用ゲルシートの収納構造によれば、柔らかいゲルシートでも、形が崩れることなく収容可能である。
【特許文献１】特開平１１−２１１１７号公報
【発明の開示】
【発明が解決しようとする課題】
【０００３】
上記特許文献１のように、パック用ゲルシートを成形シートで包装したものは、使用に際して、ゲル中の美容液成分を肌に染み込ませるもので、ゲル波美容液の成分までも保持してしまい、肌への浸透量に限界があった。そこで、ゲルとともに美容液を成型シートに入れて包装することも考えられる。しかし、この場合傾けたり縦置きにしたりして保管するとパック用ゲルシートの美容液などの液体が片寄り、開封するときに、美容液がこぼれてしまったり、手がぬれたりして、使用性があまり良好ではない。
【０００４】
この発明は、上記従来の技術の問題点に鑑みてなされたものであり、簡単な構造で、美容液をパック用ゲルシートに十分に接触させた状態で収容され、美容効果が高く、開封操作にも支障がないパック用ゲルシート包装体を提供することを目的とする。
【課題を解決するための手段】
【０００５】
本発明は、合成樹脂で一体成形され皿状の凹部から成るトレイと、上記トレイの底部に形成された窪みでありパック用ゲルシートが収容された収容凹部と、上記収容凹部の底部に形成された窪みであり美容液が収容された液溜凹部が設けられ、上記パック用ゲルシートを上記収容凹部内に収容し、上記パック用ゲルシート及びトレイを包装して成るパック用ゲルシート包装体である。
【０００６】
また、上記パック用ゲルシートはゆるやかに湾曲した雨滴形であり、上記収容凹部は上記パック用ゲルシートの形状よりわずかに大きい雨滴形である。上記液溜凹部は、上記収容凹部のほぼ中心で湾曲方向に沿って湾曲する細長い溝状に設けられ、上記収容凹部に上記パック用ゲルシートを収容した状態で、上記液溜凹部が上記パック用ゲルシートで塞がれる。
【０００７】
また、上記パック用ゲルシートまたは上記美容液には、ユビデカレノン（ＣｏＱ１０）と、血行促進作用を有するヘスピリジンあるいはルチンが含有されている。上記ユビデカレノン（ＣｏＱ１０）は、上記パック用ゲルシートの０.００１〜１０重量％、好ましくは０．１〜１０重量％含まれている。
【発明の効果】
【０００８】
本発明のパック用ゲルシート包装体は、簡単な構造で確実にパック用ゲルシートにより美容液を液溜凹部内に保持し、パック用ゲルシートの美容効果を高めることができる。また、包装体を開封するときに、美容液がこぼれることがなく、容易に且つきれいにパック用ゲルシートを取り出すことができ、使いやすいものである。
【発明を実施するための最良の形態】
【０００９】
以下、この発明の実施形態について図面に基づいて説明する。図１〜図３はこの発明の一実施形態を示すもので、この実施形態のパック用ゲルシート包装体１０は、長方形の皿状の凹部から成るトレイ１２を有し、トレイ１２の素材は、ＰＥＴ、ＰＰ、ＰＥ等、自由に設定可能であり、疎水性または撥水性の表面性状を呈していると良い。トレイ１２の一つの対角線上に位置する一対の角部１４，１６は、丸く面取りされている。トレイ１２の角部１４，１６を除く周縁部には、トレイ１２の底部１２ａに対してほぼ平行に位置するフランジ部１８が、外側へ一定幅で突出して設けられている。
【００１０】
トレイ１２の底部１２ａには、後述する美容用等のパック用ゲルシート３０を収容する一対の収容凹部２０が設けられている。収容凹部２０は、底部１２ａに設けられる窪みであり、収容凹部２０の形状は、ゆるやかに湾曲した雨滴形または繭形であり、一方の端部２０ａは直径が大きい円弧で形成され、端部２０ａから離れるに従い収容凹部２０の幅が狭くなり、反対側の端部２０ｂは直径が小さい円弧で形成されている。一対の収容凹部２０の位置は、各端部２０ａがトレイ１２の角部１４，１６に対向し、トレイ１２の他方の角部近傍に収容凹部２０のほぼ中心部分が湾曲して膨出した形状に位置している。収容凹部２０は、トレイ１２の底部１２ａに対して平行な収容底部２２と収容底部２２に達する収容側面２４から成る。収容側面２４の深さは、パック用ゲルシート３０の厚みより小さくても良く、フランジ部１８から収容底部２２までの幅がパック用ゲルシート３０の厚みよりも大きければよい。
【００１１】
収容凹部２０には、さらに窪んだ液溜凹部２８が設けられている。液溜凹部２８は、収容凹部２０の底部２２に形成された窪みであり、底部２２のほぼ中心に位置し、長円が湾曲した形状に形成されている。湾曲する方向は、収容凹部２０の湾曲方向に沿っている。そして液溜凹部２８の底面は、深さ方向の断面形状が滑らかに湾曲した形状に形成されている。
【００１２】
トレイ１２の収容凹部２０には、パック用ゲルシート３０が収容され、収容凹部２０の底部２２に密着している。パック用ゲルシート３０の形状は、収容凹部２０の形状と同様であり、ゆるやかに湾曲した雨滴形または繭形であり、一方の端部３０ａは直径が大きい円弧で形成され、端部３０ａから離れるに従いパック用ゲルシート３０の幅が狭くなり、反対側の端部３０ｂは直径が小さい円弧で形成されている。なお、パック用ゲルシート３０の形状は、適宜、三日月形や眉形その他の形状に形成し得るものである。
【００１３】
パック用ゲルシート３０の組成は、ポリアクリル酸、ＣＭＣ（カルボキシメチルセルロース）、寒天等をベースに用いた含水ゲルで作られている。例えば寒天をベースにした場合は、寒天１.５％（０.５〜５.０％）、キサンタンガム０.８％（０.０１〜３.０％）、ローカストビーンガム０％（０〜３.０％）、フェノキシエタノール０.２％、１．３−ブチレングリコール４.０％（３.０〜４.０％）、グリセリン１０（５.０〜４０％）、ポリアクリル酸又はポリアクリル酸ナトリウム０.３（０〜３.０％）、残りは精製水の組成で形成しても良い。
【００１４】
また、パック用ゲルシート３０はポリアクリル酸またはポリアクリル酸塩をベースにした場合は、ＥＤＴＡ（エデト酸塩（エデト酸二ナトリウム、エデト酸三ナトリウム、エデト酸四ナトリウム））０〜０.２％、酒石酸０〜１.０％、防腐剤０.０１〜０.３％、架橋剤０.０１〜１.０％、ポリアクリル酸Ｎａ１.０〜１０％、ＣＭＣ０〜１０％、ポリアクリル酸０〜２５％、ヒマシ油０〜１.０％、グリセリン５.０〜４０％、増量剤０.１〜１０％、吸水ポリマーなど０.０１〜５.０％、及び水適量の組成で形成しても良い。
【００１５】
その他に、保湿剤、美白剤、消炎剤、血行促進剤等、美容成分等が添加されている。さらにＣｏＱ１０が含有されていると好ましい。ＣｏＱ１０は、ユビデカレノンまたはユビキノンと称され、融点が４８〜５２℃の黄色から橙色の結晶性粉末であり、脂溶性である。水、メタノールにはほとんど溶けない。このＣｏＱ１０は、ミトコンドリア内の電子伝達系の構成成分であり、皮膚から浸透して、皮膚及び皮下組織の細胞に到達し、損傷されたミトコンドリア内の電子伝達系を賦活する。さらに、ＣｏＱ１０は、優れた抗酸化作用を有する。これにより、老化のあらゆる徴候の処置または防止が可能であり、皮膚を良好な状態に整える。ＣｏＱ１０の含有量は、例えば０.００１〜１０％程度で、適宜の割合を設定可能である。また、添加剤としてヘスペリジンあるいはルチンが含まれ、これにより血行が促進され、より効果的となる。
【００１６】
トレイ１２の収容凹部２０と液溜凹部２８には、パック用ゲルシート３０との隙間に美容液３２が満たされている。この場合、美容液３２の美容成分がパック用ゲルシート３０の表面及び内部に浸透し、パック中には顔に吸収され、美容効果を高めることができる。美容液３２の成分は、保湿剤、美白剤、消炎剤、血行促進剤、増粘剤、防腐剤、各種ガム、グリセリン、１／３−ＢＧ、各種エキス等を適宜配合したものである。また、ＣｏＱ１０及び添加剤としてヘスペリジンあるいはルチンを含有するものでも良い。
【００１７】
次に、この実施形態のパック用ゲルシート包装体１０の包装方法について説明する。先ず、あらかじめ所定の形状に形成した一対のパック用ゲルシート３０を、収容凹部２０の内側に入れる。このとき適量の美容液３２を注ぐ。そしてパック用ゲルシート３０の上に保護用のフィルム３４を被せる。フィルム３４は、パック用ゲルシートと同じ形状のものや、トレイ１２の底部１２ａと同じ形状のもの、またはフランジ部１８を覆って接着されるもの等、適宜選択する。また、パック用ゲルシート３０が入れられたトレイ１２は、気密性の高いラミネート包装材等で個別に密封包装されてもよく、ラミネート包装材をさらに紙製等の外箱に入れてもよい。
【００１８】
パック用ゲルシート３０を使用するときは、トレイ１２から外箱やラミネート包装材、フィルム３４等を外し、トレイ１２の収容凹部２０の収容底部２２からパック用ゲルシート１２を剥がして、図３に示すように、目元等の所望の部位に貼り付ける。パック用ゲルシート１２は、いずれの面を顔に貼りつけても良いが、特に液溜凹部２８に面していた面は美容液３２で濡れているため、この面を貼ると美容効果が高い。貼り付ける向きは、例えば、パック用ゲルシート３０の、大きい円弧で形成された端部３０ａを目じり側、小さい円弧で形成された端部３０ｂを目頭側にして、目の輪郭に平行にパック用ゲルシート３０が下方へ湾曲するように貼り付ける。この状態で所定時間放置する。
【００１９】
この実施形態のパック用ゲルシート包装体１０によれば、液溜凹部２８に美容液３２を溜めて、パック用ゲルシート３０をトレイ１２の収容凹部２０に収容して位置決めすることにより、パック用ゲルシート３０が常に美容液に接触した状態で収容することができる。この場合、美容成分がパック用ゲルシート３０の表面及び内部に浸透し、パック中には皮膚に吸収され美容効果を高めることができる。また、パック用ゲルシート３０は液溜凹部２８内の美容液３２を密封し、外にこぼれない。さらに、従来パック用ゲルシート３０と美容液３２を分けて収容した場合と比較して、パック用ゲルシート３０に美容液３２が最初から十分に浸透または付着しているという利点がある。美容液３２は収容凹部２０の液溜部２８に溜められるため、パック用ゲルシート３０を取り出したときに、美容液３２がこぼれたり、手に付着したりすることがなく、取り扱いが容易である。また、パック用ゲルシート３０を顔に貼るときに、無駄なく確実に美容液３２を付着させることができる。
【００２０】
なお、この発明のパック用ゲルシート包装体は上記実施の形態に限定されるものではなく、パック用ゲルシートの形状は、貼る部位に合わせて形状や厚さを変更し、トレイの収容凹部の形状もパック用ゲルシートに合わせて適したものに設定することができる。液溜凹部の形状や深さも自由に変更可能であり、一つの収容凹部に小さい複数個の液溜凹部が設けられたり、縞模様や格子模様に形成されたりしてもよい。
【図面の簡単な説明】
【００２１】
【図１】この発明の一実施形態のパック用ゲルシート包装体の正面図（ａ）とＡ−Ａ線縦断面図（ｂ）である。
【図２】図１のＢ−Ｂ線縦断面図である。
【図３】この実施形態のパック用ゲルシートの使用状態を示す正面図である。
【符号の説明】
【００２２】
１０  パック用ゲルシート包装体
１２  トレイ
１８  フランジ部
２０  収容凹部
２２  収容底部
２８  液溜凹部
３０  パック用ゲルシート
３２  美容液
【図１】
2006056543.tif 000003
【図２】
2006056543.tif 000004
【図３】
2006056543.tif 000005